(57)【要約】【課題】ボウル部内の洗浄水の貯水タンクへの逆流を防止しながら、洗浄水をボウル部内にオーバーフローさせることができる水洗大便器を提供する。【解決手段】本発明は、加圧した洗浄水によって洗浄される水洗大便器（１）であって、ジェット吐水口が形成されたボウル部（１２）を備えた水洗大便器本体（２）と、洗浄水を加圧する加圧ポンプ（３４）と、この加圧ポンプによって加圧された洗浄水をジェット吐水口へ導くジェット側給水路と、このジェット側給水路の途中に設けられたジェット吐水用バキュームブレーカ（３６）と、加圧ポンプによって加圧すべき洗浄水を貯水する貯水タンク（３２）と、この貯水タンク内の洗浄水の水位が所定の水位以上に上昇したとき、貯水タンクからオーバーフローした洗浄水を、ジェット吐水用バキュームブレーカの大気開放部に流下させるリリース水路（３２ｄ）と、を有することを特徴としている。【選択図】図５
2008082031.tif 000002
【特許請求の範囲】
【請求項１】
加圧した洗浄水によって洗浄される水洗大便器であって、
ジェット吐水口が形成されたボウル部、及びこのボウル部の底部から延びる排水トラップ管路を備えた水洗大便器本体と、
上記ボウル部を洗浄する洗浄水を加圧する加圧ポンプと、
この加圧ポンプによって加圧された洗浄水を上記ジェット吐水口へ導くジェット側給水路と、
このジェット側給水路の途中に設けられたジェット吐水用バキュームブレーカと、
上記加圧ポンプによって加圧すべき洗浄水を貯水する貯水タンクと、
この貯水タンク内の洗浄水の水位が所定の水位以上に上昇したとき、上記貯水タンクからオーバーフローした洗浄水を、上記ジェット吐水用バキュームブレーカの大気開放部に流下させるリリース水路と、
を有することを特徴とする水洗大便器。
【請求項２】
加圧した洗浄水によって洗浄される水洗大便器であって、
ジェット吐水口及びリム吐水口が形成されたボウル部、及びこのボウル部の底部から延びる排水トラップ管路を備えた水洗大便器本体と、
洗浄水を上記リム吐水口へ導くリム側給水路と、
上記ボウル部を洗浄する洗浄水を加圧して上記ジェット吐水口から吐水させる加圧ポンプと、
この加圧ポンプによって加圧すべき洗浄水を貯水する貯水タンクと、
この貯水タンク内の洗浄水の水位がボウル部の上端面よりも高い所定の水位以上に上昇したとき、上記貯水タンクからオーバーフローした洗浄水を、上記リム側給水路に流入させるリリース水路と、
を有することを特徴とする水洗大便器。
【請求項３】
加圧した洗浄水によって洗浄される水洗大便器であって、
吐水口が形成されたボウル部、このボウル部の後部上端面に形成され、オーバーフロー水を上記ボウル部に流入させる排水溝、及び上記ボウル部の底部から延びる排水トラップ管路を備えた水洗大便器本体と、
上記吐水口から吐水されて上記ボウル部を洗浄する洗浄水を加圧する加圧ポンプと、
この加圧ポンプによって加圧すべき洗浄水を貯水する貯水タンクと、
この貯水タンク内の洗浄水の水位が上記ボウル部の上端面よりも高い所定の水位以上に上昇したとき、上記貯水タンクからオーバーフローした洗浄水を、上記排水溝に流下させるリリース水路と、
を有することを特徴とする水洗大便器。
【請求項４】
上記排水溝は、上記ボウル部の後部中央に、上記水洗大便器本体の前後方向に延びる溝である請求項３記載の水洗大便器。
【請求項５】
上記貯水タンクは、上記排水溝及び上記排水トラップ管路の側方に配置されており、上記リリース水路は、上記排水溝の側面に連通している幅広の水路である請求項４記載の水洗大便器。
【発明の詳細な説明】
【技術分野】
【０００１】
本発明は水洗大便器に関し、特に、加圧した洗浄水により洗浄される水洗大便器に関する。
【背景技術】
【０００２】
特許３５４２６２２号公報（特許文献１）には、ポンプ作動衛生器具及び便器設備が記載されている。この水洗便器（衛生器具）は、ボウル部後方の、ボウル部の上端面よりも低い位置に配置された洗浄水を貯水するためのタンクと、このタンク内の洗浄水を加圧するポンプを備えている。このポンプは便器洗浄時に作動され、タンク内の洗浄水を加圧してボウル内に吐水させ、便器を洗浄するように構成されている。即ち、この水洗便器では、洗浄水をポンプにより加圧してボウル部内に吐出させているため、洗浄水を吐出させるための水頭圧を必要とせず、タンクを低い位置に配置することが可能になる。これにより、タンクを備えていながら全高の低い水洗大便器を実現している。また、この水洗便器においては、タンクからのオーバーフロー水は、ボウル部の壁面に形成された開口部に連通したオーバーフロー水路を通ってボウル部に流入するように構成されている。
【０００３】
【特許文献１】特許３５４２６２２号公報
【発明の開示】
【発明が解決しようとする課題】
【０００４】
しかしながら、特許３５４２６２２号公報記載の水洗便器では、オーバーフロー水路がボウル部の壁面に形成された開口部に連通されているため、何らかの理由によりボウル部内の水位が上昇した場合には、ボウル部内の洗浄水がオーバーフロー水路を通ってタンク内に逆流する虞があるという問題がある。また、タンクをボウル部の上端面よりも上方に配置すれば、逆流の虞はなくなるものの、全高の低いすっきりした外観の水洗大便器を構成することができなくなる。
【０００５】
そこで、水洗大便器の全高を低く抑えながらボウル部内の洗浄水のタンク内への逆流を防止するには、ボウル部の上端面よりも下方にタンクを配置し、オーバーフロー水路がボウル部の上端面を越えてボウル部に延びるように構成することが考えられる。しかしながら、ボウル部の上端面を越えるようにオーバーフロー水路を構成すると、水洗便器の外観を悪化させるばかりでなく、ボウル部への排出口が汚れて非衛生的になるという問題がある。
【０００６】
従って、本発明は、ボウル部内の洗浄水の貯水タンクへの逆流を防止しながら、洗浄水をボウル部内にオーバーフローさせることができる水洗大便器を提供することを目的としている。
【課題を解決するための手段】
【０００７】
上述した課題を解決するために、本発明は、加圧した洗浄水によって洗浄される水洗大便器であって、ジェット吐水口が形成されたボウル部、及びこのボウル部の底部から延びる排水トラップ管路を備えた水洗大便器本体と、ボウル部を洗浄する洗浄水を加圧する加圧ポンプと、この加圧ポンプによって加圧された洗浄水をジェット吐水口へ導くジェット側給水路と、このジェット側給水路の途中に設けられたジェット吐水用バキュームブレーカと、加圧ポンプによって加圧すべき洗浄水を貯水する貯水タンクと、この貯水タンク内の洗浄水の水位が所定の水位以上に上昇したとき、貯水タンクからオーバーフローした洗浄水を、ジェット吐水用バキュームブレーカの大気開放部に流下させるリリース水路と、を有することを特徴としている。
【０００８】
このように構成された本発明においては、ボウル部を洗浄する際、貯水タンクの洗浄水が加圧ポンプによって加圧され、ジェット側給水路を通ってジェット吐水口から吐水される。また、ジェット側給水路の途中には、ジェット吐水用バキュームブレーカが設けられている。さらに、本発明の水洗大便器はリリース水路を有し、このリリース水路は、洗浄水の水位が所定の水位以上に上昇して、貯水タンクから洗浄水がオーバーフローした場合に、洗浄水をジェット吐水用バキュームブレーカの大気開放部に流下させる。大気開放部に流下したオーバーフロー水は、ジェット側給水路、ジェット吐水口を通ってボウル部に流入し、排水トラップ管路から排出される。
【０００９】
このように構成された本発明によれば、貯水タンクからオーバーフローした洗浄水を、ジェット吐水用バキュームブレーカの大気開放部に流下させ、排出しているので、ボウル部内の洗浄水の貯水タンクへの逆流を防止することができる。
【００１０】
また、本発明は、加圧した洗浄水によって洗浄される水洗大便器であって、ジェット吐水口及びリム吐水口が形成されたボウル部、及びこのボウル部の底部から延びる排水トラップ管路を備えた水洗大便器本体と、洗浄水をリム吐水口へ導くリム側給水路と、ボウル部を洗浄する洗浄水を加圧してジェット吐水口から吐水させる加圧ポンプと、この加圧ポンプによって加圧すべき洗浄水を貯水する貯水タンクと、この貯水タンク内の洗浄水の水位がボウル部の上端面よりも高い所定の水位以上に上昇したとき、貯水タンクからオーバーフローした洗浄水を、リム側給水路に流入させるリリース水路と、を有することを特徴としている。
【００１１】
このように構成された本発明においては、ボウル部を洗浄する際、貯水タンクの洗浄水が加圧ポンプによって加圧され、ジェット側給水路を通ってジェット吐水口から吐水される。また、ボウル部を洗浄する際、リム吐水口からも洗浄水が吐水される。さらに、本発明の水洗大便器はリリース水路を有し、このリリース水路は、洗浄水の水位がボウル部の上端面よりも高い所定の水位以上に上昇して、貯水タンクから洗浄水がオーバーフローした場合に、洗浄水をリム側給水路に流入させる。リム側給水路に流入したオーバーフロー水は、リム側給水路、リム吐水口を通ってボウル部に流入し、排水トラップ管路から排出される。
【００１２】
このように構成された本発明によれば、貯水タンクからオーバーフローした洗浄水を、リム側給水路に流入させ、排出しているので、ボウル部内の洗浄水の貯水タンクへの逆流を防止することができる。
【００１３】
また、本発明は、加圧した洗浄水によって洗浄される水洗大便器であって、吐水口が形成されたボウル部、このボウル部の後部上端面に形成され、オーバーフロー水をボウル部に流入させる排水溝、及びボウル部の底部から延びる排水トラップ管路を備えた水洗大便器本体と、吐水口から吐水されてボウル部を洗浄する洗浄水を加圧する加圧ポンプと、この加圧ポンプによって加圧すべき洗浄水を貯水する貯水タンクと、この貯水タンク内の洗浄水の水位がボウル部の上端面よりも高い所定の水位以上に上昇したとき、貯水タンクからオーバーフローした洗浄水を、排水溝に流下させるリリース水路と、を有することを特徴としている。
【００１４】
このように構成された本発明においては、ボウル部を洗浄する際、貯水タンクの洗浄水が加圧ポンプによって加圧され、吐水口から吐水される。水洗大便器本体のボウル部後部上端面には、オーバーフロー水をボウル部に流入させる排水溝が形成されている。また、本発明の水洗大便器はリリース水路を備えており、このリリース水路は、貯水タンク内の洗浄水の水位がボウル部の上端面よりも高い所定の水位以上に上昇したとき、貯水タンクからオーバーフローした洗浄水を、排水溝に流下させる。排水溝に流下したオーバーフロー水は、ボウル部に流入し、排水トラップ管路から排出される。
【００１５】
このように構成された本発明によれば、貯水タンクからオーバーフローした洗浄水を、ボウル部の上端面に形成された排水溝に流下させ、排出しているので、ボウル部内の洗浄水の貯水タンクへの逆流を防止することができる。
【００１６】
本発明において、好ましくは、排水溝は、ボウル部の後部中央に、水洗大便器本体の前後方向に延びる溝である。
このように構成された本発明によれば、水洗大便器の外観を損なうことなく排水溝を設けることができる。さらに、汚物が侵入する可能性の少ない位置に排水溝が形成されているので、不衛生になることがない。
【００１７】
本発明において、好ましくは、貯水タンクは、排水溝及び排水トラップ管路の側方に配置されており、リリース水路は、排水溝の側面に連通している幅広の水路である。
このように構成された本発明によれば、排水溝の側面に連通したリリース水路が幅広に構成されているので、リリース水路の高さを低く抑えながら十分な流路面積を確保することができる。
【発明の効果】
【００１８】
本発明の水洗大便器によれば、ボウル部内の洗浄水の貯水タンクへの逆流を防止しながら、洗浄水をボウル部内にオーバーフローさせることができる水洗大便器を提供することができる。
【発明を実施するための最良の形態】
【００１９】
次に、添付図面を参照して、本発明の実施形態による水洗大便器を説明する。
まず、図１乃至図１１を参照して、本発明の第１実施形態による水洗大便器を説明する。図１は、本実施形態による水洗大便器の右側面図である。図２は本実施形態による水洗大便器の上面図であり、図３は左側面図である。また、図４は本実施形態による水洗大便器を後方右斜め上から見た斜視図であり、図５は後方左斜め上から見た斜視図である。さらに、図６は、図２のVI−VI線に沿う断面図である。また、図７は、リム吐水及びジェット吐水の給水系統を示すブロック図である。なお、図２乃至６は、本実施形態による水洗大便器を、便座、カバー、局部洗浄装置、及びサイドパネルを取り外した状態で示している。
【００２０】
図１に示すように、本発明の第１実施形態による水洗大便器１は、水洗大便器本体２と、水洗大便器本体２の上面に配置された便座４と、便座４を覆うように配置されたカバー６と、水洗大便器本体２の後方上部に配置された局部洗浄装置８と、を有する。また、水洗大便器本体２の後方には、機能部１０が配置されており、この機能部１０はサイドパネル１０ａにより覆われている。
【００２１】
水洗大便器本体２は陶器製であり、汚物を受けるボウル部１２と、このボウル部１２の底部から延びる排水トラップ管路１４と、ジェット吐水を行うジェット吐水口１６と、リム吐水を行うリム吐水口１８が形成されている。排水トラップ管路１４は、ボウル部１２の底部から後方、斜め上方に延びた後、下方に向かって延びて排水管Ｄに接続されている。ジェット吐水口１６は、ボウル部１２の底部に形成されており、排水トラップ管路１４の入口に向けて洗浄水を吐出するように構成されている。リム吐水口１８は、ボウル部１２の左側上部後方に形成されており、ボウル部１２の縁に沿って洗浄水を吐出するように構成されている。
【００２２】
本発明の第１実施形態による水洗大便器１は、洗浄水を供給する水道に直結されており、水道の給水圧力によりリム吐水口１８から洗浄水が吐出される。また、ジェット吐水に関しては、機能部１０に内蔵された貯水タンクに貯水された洗浄水を加圧ポンプによって加圧して、大流量でジェット吐水口１６から吐出させるように構成されている。
【００２３】
次に、図２乃至図７を参照して、機能部１０の構成を説明する。
図２乃至図７に示すように、機能部１０には、リム吐水用の給水系統として、定流量弁２０と、リム吐水用電磁弁２２と、リム吐水用バキュームブレーカ２４と、リム吐水用フラッパー弁２６が内蔵されている。さらに、機能部１０には、ジェット吐水用の給水系統として、タンク給水用電磁弁２８と、タンク給水用バキュームブレーカ３０と、貯水タンク３２と、加圧ポンプ３４と、ジェット吐水用バキュームブレーカ３６と、ジェット吐水用フラッパー弁３８が内蔵されている。さらに、機能部１０には、リム吐水用電磁弁２２、タンク給水用電磁弁２８、及び加圧ポンプ３４を制御する洗浄制御手段であるコントローラ４０（図７）が内蔵されている。
【００２４】
定流量弁２０は、止水栓４２ａ、分岐金具４２ｂ、及びストレーナ４２ｃ（以上、図７に図示）を介して入水口２０ａから流入した洗浄水を、所定の流量以下に絞るように構成されている。本実施形態においては、定流量弁２０は、洗浄水の流量を１６リットル／分以下に制限するように構成されている。また、定流量弁２０を通過した洗浄水は、２つに分岐され、一方はリム吐水用電磁弁２２に、他方はタンク給水用電磁弁２８に流入するように接続されている。なお、本実施形態においては、定流量弁２０は、水洗大便器本体２の後方左側に配置されている。
【００２５】
リム吐水用電磁弁２２は、コントローラ４０の制御信号により開閉され、リム吐水口１８から洗浄水を吐出、停止させるように構成されている。本実施形態においては、リム吐水用電磁弁２２は、定流量弁２０と同様に、水洗大便器本体２の後方左側に配置されている。
【００２６】
リム吐水用バキュームブレーカ２４は、リム吐水用電磁弁２２を通過した洗浄水をリム吐水口１８へ導くリム側給水路１８ａの途中に配置され、洗浄水のリム吐水口１８からの逆流を防止している。また、リム吐水用バキュームブレーカ２４は、ボウル部１２の上端面よりも約２５．４ｍｍ（約１インチ）上方に配置されており、逆流を確実に防止している。なお、本実施形態においては、リム吐水用バキュームブレーカ２４は、水洗大便器本体２の後方中央の、排水トラップ管路１４の上方に配置されている。
【００２７】
リム吐水用フラッパー弁２６は、リム吐水用バキュームブレーカ２４の下流側のリム側給水路１８ａに配置され、洗浄水のリム吐水口１８からの逆流を防止している。本実施形態においては、リム側給水路１８ａにリム吐水用バキュームブレーカ２４とリム吐水用フラッパー弁２６を直列に配置することによって、より確実に洗浄水の逆流を防止している。なお、本実施形態においては、リム吐水用フラッパー弁２６は、水洗大便器本体２の後方左側の、ジェット吐水用フラッパー弁３８の上方に配置されている。
【００２８】
タンク給水用電磁弁２８は、コントローラ４０の制御信号により開閉され、洗浄水を貯水タンク３２へ給水、停止させるように構成されている。本実施形態においては、タンク給水用電磁弁２８は、定流量弁２０と同様に、水洗大便器本体２の後方左側に配置されている。
【００２９】
タンク給水用バキュームブレーカ３０は、タンク給水用電磁弁２８を通過した洗浄水を貯水タンク３２へ導くタンク給水路３２ａの途中に配置され、洗浄水の貯水タンク３２からの逆流を防止している。また、タンク給水用バキュームブレーカ３０は、貯水タンク３２の溢れ縁よりもよりも約２５．４ｍｍ（約１インチ）上方に配置されており、逆流を確実に防止している。なお、本実施形態においては、タンク給水用バキュームブレーカ３０は、水洗大便器本体２の後方中央の、排水トラップ管路１４の上方に配置されている。
【００３０】
貯水タンク３２は、ジェット吐水口１６から吐水すべき洗浄水を貯水するように構成されている。なお、本実施形態において、貯水タンク３２は、図６に示すように、水洗大便器本体２の後方右側から、水洗大便器本体２後方中央の排水トラップ管路１４の上方まで延びるように配置されており、約３リットルの内容積を有する。また、水洗大便器本体２の後方には、取付部である樹脂製の取付フレーム２ａが固定されており、この取付フレーム２ａは、水洗大便器本体２とは別体に構成され、貯水タンク３２の周囲を取り囲むように概ね矩形状に形成されている。貯水タンク３２は、その上端のフランジ部が取付フレーム２ａと係合することにより、取付フレーム２ａから吊り下げられている。
【００３１】
さらに、本実施形態においては、タンク給水路３２ａの先端は貯水タンク３２の底部近傍に開口されており、タンク給水路３２ａの先端が水没した状態で貯水タンク３２への給水を行うことにより、給水時の騒音を低減している。また、貯水タンク３２の内部には、フロートスイッチ３２ｂが配置されており、貯水タンク３２内の水位を検出するように構成されている。フロートスイッチ３２ｂは、貯水タンク３２内の水位が所定の貯水水位に達するとＯＮに切り替わり、コントローラ４０はこれを検知して、タンク給水用電磁弁２８を閉鎖させるように構成されている。
【００３２】
また、貯水タンク３２の側面上部には、貯水タンク３２内の水位が異常に上昇したとき、洗浄水をオーバーフローさせるためのリリース水路３２ｄが設けられている。図５及び図６に示すように、このリリース水路３２ｄは、貯水タンク３２の側面から横方向に延びる概ね正方形断面の管であり、先端がジェット吐水用バキュームブレーカ３６の大気開放部まで延びている。このため、貯水タンク３２内の水位が溢れ縁であるリリース水路３２ｄの底面よりも高くなると、貯水タンク３２内の洗浄水はリリース水路３２ｄを通って流出し、ジェット吐水用バキュームブレーカ３６の大気開放部に流れ込む。これにより、貯水タンク３２内の洗浄水が床面に溢れたり、溢れた洗浄水により機能部１０が損傷されるのを防止している。また、本実施形態においては、リリース水路３２ｄの底面は、ボウル部１２の上端面よりも約３５ｍｍ上方に位置決めされている。
【００３３】
加圧ポンプ３４は、貯水タンク３２に貯水された洗浄水を加圧して、ジェット吐水口１６から吐出させるように構成されている。本実施形態においては、加圧ポンプ３４は、貯水タンク３２の下方に、即ち、水洗大便器本体２の後方右側、排水トラップ管路１４の側方に配置されている。また、図４に示すように、貯水タンク３２の底面には下方に延びる２本のＵ字形の金属板３２ｃが取り付けられており、加圧ポンプ３４は、これらの金属板３２ｃによって貯水タンク３２の下方に吊り下げられている。
【００３４】
また、加圧ポンプ３４は、洗浄水を加圧するインペラ３４ａ、及びこのインペラ３４ａを駆動するモーター３４ｂ（図７）を内蔵している。さらに、加圧ポンプ３４には、水抜き用水栓３４ｃ（図７）が接続されており、この水抜き用水栓３４ｃを開放することにより、メンテナンス時等に貯水タンク３２内及び加圧ポンプ３４内の洗浄水を排出できるように構成されている。また、加圧ポンプ３４の下方には、水受けトレイ２ｂが配置されており、結露した水滴や漏水を受けるように構成されている。
【００３５】
また、図４に示すように、貯水タンク３２は、貯水タンク３２から水洗大便器本体２の前方に向かって延びた後、Ｕターンして後方に向かうＵ字管３４ｄを介して加圧ポンプ３４に接続されている。さらに、加圧ポンプ３４によって加圧された洗浄水は、排水トラップ管路１４の後ろ側を、水洗大便器本体２を横断して延びる横断管３４ｅを介してジェット吐水用バキュームブレーカ３６に流入するように構成されている。なお、本実施形態においては、加圧ポンプ３４は、貯水タンク３２内の洗浄水を加圧して、洗浄水を最大約１００リットル／分の流量でジェット吐水口１６から吐出させるように構成されている。
【００３６】
ジェット吐水用バキュームブレーカ３６は、加圧ポンプ３４の下流側に接続されており、ボウル部１２内の溜水が貯水タンク３２側へ逆流するのを防止すると共に、それらの間の縁切りを行うように構成されている。これにより、貯水タンク３２内の貯水水位を、ボウル部１２内の溜水水位よりも高く設定することが可能になる。また、ジェット吐水用バキュームブレーカ３６の大気開放部には、貯水タンク３２のリリース水路３２ｄから流出した洗浄水が流れ込むようになっている。大気開放部に流入した洗浄水は、ジェット吐水用フラッパー弁３８、ジェット側給水路１６ａを通って、ジェット吐水口１６からボウル部１２内に流入するように構成されている。なお、本実施形態においては、ジェット吐水用バキュームブレーカ３６は、水洗大便器本体２の後方の、排水トラップ管路１４の左側に配置されている。
【００３７】
ジェット吐水用フラッパー弁３８は、ジェット吐水用バキュームブレーカ３６の下流側に接続され、洗浄水のジェット吐水口１６からの逆流を防止している。本実施形態においては、ジェット吐水用バキュームブレーカ３６とジェット吐水用フラッパー弁３８を直列に配置することによって、より確実に洗浄水の逆流を防止している。ジェット吐水用フラッパー弁３８を通過した洗浄水は、ジェット側給水路１６ａを通ってジェット吐水口１６から吐出されるように構成されている。なお、本実施形態においては、ジェット吐水用フラッパー弁３８は、水洗大便器本体２の後方の、排水トラップ管路１４の左側に配置されている。即ち、排水トラップ管路１４の右側に配置されている貯水タンク３２に貯水され、加圧ポンプ３４によって加圧された洗浄水は、横断管３４ｅを通って、排水トラップ管路１４に対して反対側の左側に至り、そこに配置されたジェット吐水用バキュームブレーカ３６、ジェット吐水用フラッパー弁３８及びジェット側給水路１６ａを通ってジェット吐水口１６から吐出されるように構成されている。
【００３８】
また、本実施形態においては、ジェット吐水用フラッパー弁３８は、水洗大便器本体２の後方左側の、リム吐水用フラッパー弁２６の下方に配置されている。従って、リム吐水用フラッパー弁２６から延び、リム吐水口１８に至るリム側給水路１８ａも、排水トラップ管路１４に対してジェット側給水路１６ａと同じ側に配置されている。
【００３９】
洗浄制御手段であるコントローラ４０は、使用者による便器洗浄スイッチ（図示せず）の操作により、リム吐水用電磁弁２２、加圧ポンプ３４を順次作動させ、リム吐水口１８及びジェット吐水口１６からの吐水を順次開始させて、ボウル部１２を洗浄するように構成されている。さらに、コントローラ４０は、洗浄終了後、タンク給水用電磁弁２８を開放して貯水タンク３２に洗浄水を補給し、フロートスイッチ３２ｂが規定の貯水量を検出すると、タンク給水用電磁弁２８を閉鎖して給水を停止するように構成されている。従って、タンク給水用電磁弁２８は、洗浄水補給手段として作用する。
【００４０】
また、コントローラ４０は、貯水タンク３２への洗浄水の補給が開始された後、フロートスイッチ３２ｂが所定の貯水水位を検出するまでの時間を計測する計時手段４０ａを内蔵している。さらに、コントローラ４０は、計時手段４０ａによって測定された時間に基づいて、リム吐水口１６からの洗浄水の吐水時間を調整する吐水時間調整手段４０ｂを内蔵している。また、コントローラ４０は、水洗大便器１が設置された室内の温度を測定する温度検出手段である温度センサ４０ｃと、水洗大便器１内の洗浄水に凍結する虞がある場合に凍結防止運転を実行する凍結防止制御手段４０ｄと、凍結防止運転の時間間隔をカウントするタイマー４０ｅと、を有する。具体的には、コントローラ４０は、ＣＰＵ、メモリ、及びそれらを作動させるプログラムにより構成されている。
【００４１】
次に、図８を参照して、ジェット吐水用バキュームブレーカ３６の構成を説明する。図８は、ジェット吐水用バキュームブレーカ３６の断面図である。図８に示すように、ジェット吐水用バキュームブレーカ３６は、入水口４４ａ、及び出水口４４ｂが形成されたバルブ本体４４と、このバルブ本体４４内で鉛直方向に移動可能に配置されたバキュームブレーカコマ４６と、バルブ本体４４に取り付けられ、大気開放部４８ａが形成されたバキュームブレーカ本体４８と、を有する。
【００４２】
バルブ本体４４の入水口４４ａは、鉛直上方に向けて開口しており、横断管３４ｅに連通するように連結されている。また、出水口４４ｂは、水平方向に向けて開口しており、ジェット吐水用フラッパー弁３８の入口に連結されている。
【００４３】
バキュームブレーカコマ４６は、概ね円盤状の弁体部４６ａと、この弁体部４６ａの中心から鉛直上方に延びる軸部４６ｂと、を有する。さらに、弁体部４６ａの下面には入水口４４ａを閉鎖する下面シール材４６ｃが取り付けられ、弁体部４６ａの上面には大気開放部４８ａを閉鎖する上面シール材４６ｄが取り付けられている。
【００４４】
バキュームブレーカ本体４８は概ね円筒状の部材であり、その下端に大気開放部４８ａが形成され、下部がバルブ本体４４に嵌め込まれている。また、バキュームブレーカ本体４８の中心軸線上には、バキュームブレーカコマ４６の軸部４６ｂを摺動可能に受け入れるガイド部４８ｂが設けられている。軸部４６ｂがガイド部４８ｂに受け入れられることにより、バキュームブレーカコマ４６は、下面シール材４６ｃが入水口４４ａを閉鎖する下方位置と、上面シール材４６ｄが大気開放部４８ａを閉鎖する上方位置との間で摺動可能に支持される。
また、バキュームブレーカ本体４８上部には切欠部が形成されており、この切欠部に貯水タンク３２のリリース水路３２ｄの先端が挿入されている。これにより、リリース水路３２ｄから流出した洗浄水は、バキュームブレーカ本体４８の内部に流入し、大気開放部４８ａを通って出水口４４ｂへ流出する。
【００４５】
使用時において、入水口４４ａから洗浄水が流入すると、その水勢によりバキュームブレーカコマ４６は上方位置に移動され、大気開放部４８ａが閉鎖される。これにより、入水口４４ａから流入した洗浄水は、出水口４４ｂから吐出される。さらに、入水口４４ａからの洗浄水の流入が停止されると、バキュームブレーカコマ４６は重力により下方位置に移動され、入水口４４ａが閉鎖される。これにより、出水口４４ｂから入水口４４ａへの洗浄水の逆流が防止される。また、出水口４４ｂは大気開放部４８ａと連通するので、入水口４４ａと出水口４４ｂは縁切りされ、入水口４４ａに連通した貯水タンク３２と、出水口４４ｂに連通したボウル部１２の水位は連動しなくなる。さらに、リリース水路３２ｄから大気開放部４８ａ内に洗浄水が流下した場合には、洗浄水は出水口４４ｂから流出され、ボウル部１２に流入する。
【００４６】
本実施形態においては、バキュームブレーカコマ４６が入水口４４ａを閉鎖するシート面は、ボウル部１２の上端面よりも上方に位置決めされている。このため、ボウル部１２内の洗浄水の水位が上昇した場合でも、ボウル部１２内の洗浄水がジェット吐水用バキュームブレーカ３６に逆流して、大気開放部４８ａから溢れ出ることはない。しかしながら、ボウル部１２からの洗浄水の逆流は、ジェット吐水用フラッパー弁３８によっても阻止されるので、ボウル部１２の溜水水位よりも上方であれば、ジェット吐水用バキュームブレーカ３６をボウル部１２の上端面よりも低い位置に配置することもできる。
【００４７】
ここでは、ジェット吐水用バキュームブレーカ３６の構造を説明したが、リム吐水用バキュームブレーカ２４及びタンク給水用バキュームブレーカ３０も同様の構造を有する。また、リム吐水用バキュームブレーカ２４のシート面はボウル部１２の上端面よりも約２５．４ｍｍ（約１インチ）上方に配置されており、また、タンク給水用バキュームブレーカ３０のシート面は、貯水タンク３２から延びるリリース水路３２ｄの底面よりも約２５．４ｍｍ（約１インチ）上方に配置されており、洗浄水の上流側への逆流を確実に防止している。
【００４８】
次に、メンテナンス時における貯水タンク３２及び加圧ポンプ３４の取り外し手順を説明する。
貯水タンク３２及び加圧ポンプ３４の取り外す際には、まず、水洗大便器本体２の上に取り付けられた便座４、カバー６、及び局部洗浄装置８を取り外し、機能部１０の上部を露出させる。次に、機能部１０の両側に取り付けられているサイドパネル１０ａを取り外す。次いで、貯水タンク３２の上方に配置されているリム吐水用バキュームブレーカ２４、タンク給水用バキュームブレーカ３０、及びジェット吐水用バキュームブレーカ３６と、これらに接続されている配管を取り外す。さらに、貯水タンク３２のフランジ部を取付フレーム２ａに固定しているビスを取り外す。
【００４９】
次に、貯水タンク３２と加圧ポンプ３４を接続しているＵ字管３４ｄの接続部５０ａ、５０ｂを、サイドパネル１０ａを取り外すことによって露出された機能部１０の側面から手を差し入れて取り外す。同様に、加圧ポンプ３４と横断管３４ｅの接続部５０ｃを取り外す。また、加圧ポンプ３４に接続されている電気コネクタ（図示せず）も取り外す。さらに、取付フレーム２ａから吊り下げられている貯水タンク３２を、水洗大便器本体２の上方に引き上げて取り外す。これにより、金属板３２ｃによって貯水タンク３２から吊り下げられている加圧ポンプ３４も一体的に取り外される。
【００５０】
次に、図９乃至図１１を参照して、本発明の第１実施形態による水洗大便器１の作用を説明する。図９は、水洗大便器１の洗浄時において各部が作動するタイミングを示すグラフであり、上段から順に、リム吐水用電磁弁２２、タンク給水用電磁弁２８、フロートスイッチ３２ｂ、加圧ポンプ３４が作動するタイミングを示している。図１０は水洗大便器１の洗浄作用を示すフローチャートである。
【００５１】
まず、待機状態（図１０のステップＳ０）において、便器洗浄スイッチ（図示せず）が操作されると、ステップＳ１に進み、１回目のリム吐水が開始される。即ち、図９の時刻ｔ０において、使用者が便器洗浄スイッチ（図示せず）を操作すると、コントローラ４０はリム吐水用電磁弁２２に信号を送って開放させ、水道の給水圧力によりリム吐水口１８から洗浄水を吐出させる。リム吐水用電磁弁２２が開放されると、水道から供給された洗浄水が止水栓４２ａ、分岐金具４２ｂ、ストレーナ４２ｃを経て入水口２０ａから定流量弁２０に流入する。定流量弁２０では、水道の給水圧力が高い場合には、通過する洗浄水の流量が所定流量に制限され、給水圧力が低い場合には、洗浄水は流れを制限されることなくそのまま通過される。定流量弁２０を通過した洗浄水は、さらに、水洗大便器本体２後方左側に配置されたリム吐水用電磁弁２２を通過し、水洗大便器本体２後方中央の排水トラップ管路１４の上方に配置されたリム吐水用バキュームブレーカ２４に到達する。
【００５２】
さらに、リム吐水用バキュームブレーカ２４を通過した洗浄水は、水洗大便器本体２後方左側に配置されたリム吐水用フラッパー弁２６に流入した後、水洗大便器本体２の前方に向かって流れ、リム側給水路１８ａを通って、ボウル部１２上部の後方左側に開口したリム吐水口１８から吐出される。リム吐水口１８から吐出された洗浄水は、ボウル部１２内を旋回しながら下方へ流下し、ボウル部１２の内壁面が洗浄される。
【００５３】
所定時間経過後、ステップＳ２に進み、ジェット吐水が開始される。即ち、コントローラ４０は、図９の時刻ｔ１において、加圧ポンプ３４に信号を送りこれを起動させる。加圧ポンプ３４が起動されると、貯水タンク３２内に貯水されていた洗浄水が加圧される。水洗大便器本体２後方右側に配置された加圧ポンプ３４によって加圧された洗浄水は、横断管３４ｅを通って排水トラップ管路１４の反対側に流れた後、排水トラップ管路１４の右側に配置されたジェット吐水用バキュームブレーカ３６に到達する。ジェット吐水用バキュームブレーカ３６を通過した洗浄水は、水洗大便器本体２後方左側のリム吐水用フラッパー弁２６の下に配置されたジェット吐水用フラッパー弁３８に流入する。ジェット吐水用フラッパー弁３８を通過した洗浄水は、水洗大便器本体２の前方に向かって流れ、リム側給水路１８ａの下側のジェット側給水路１６ａを通って、ボウル部１２底部に開口したジェット吐水口１６から吐出される。
【００５４】
ジェット吐水口１６から吐出された洗浄水は排水トラップ管路１４内に流入し、排水トラップ管路１４を満水にしてサイホン現象を引き起こす。このサイホン現象により、ボウル部１２内の溜水及び汚物は、排水トラップ管路１４に吸引され、排水管Ｄから排出される。なお、本実施形態においては、加圧ポンプ３４によって加圧された洗浄水を約１００リットル／分の大流量でジェット吐水口１６から吐出させるので、排水トラップ管路１４内のサイホン現象が急速に引き起こされ、ボウル部１２内の溜水及び汚物は素早く排出される。好ましくは、ジェット吐水口１６から吐出される洗浄水の最大流量は、約７５乃至１１０リットル／分とする。
【００５５】
所定時間経過後、コントローラ４０は、図９の時刻ｔ２において、リム吐水用電磁弁２２に信号を送ってこれを閉鎖させ、リム吐水口１８からの吐水を停止させる。即ち、時刻ｔ１〜ｔ２においては、ジェット吐水口１６からの吐水及びリム吐水口１８からの吐水が同時に行われる。リム吐水口１８からの吐水からの吐水中に加圧ポンプ３４を起動させ、ジェット吐水口１６からの吐水を開始することにより、加圧ポンプ３４の起動音はリム吐水の音によってマスクされ、目立たなくなる。
【００５６】
加圧ポンプ３４が起動され、貯水タンク３２内の洗浄水がジェット吐水口１６から吐水されることにより、貯水タンク３２内の水位が低下する。貯水タンク３２内に配置されたフロートスイッチ３２ｂは、図９の時刻ｔ３において、ＯＦＦとなり、水位が低下したことが検知される。
【００５７】
次いで、図９の時刻ｔ４において、コントローラ４０は、加圧ポンプ３４に信号を送り、加圧ポンプ３４に内蔵されたモーター３４ｂの回転数の漸減を開始させる。これにより、ジェット吐水口１６からの吐水流量も時間に対してほぼ直線的に漸減される。
【００５８】
次いで、図１０のステップＳ３に進み、２回目のリム吐水が開始される。即ち、図９の時刻ｔ５において、コントローラ４０は、リム吐水用電磁弁２２に信号を送ってこれを開放させ、リム吐水口１８からの２回目の吐水を開始させる。これにより、吐水流量が漸減しているジェット吐水口１６からの吐水にリム吐水口１８からの吐水が重畳される。ここで、ジェット吐水口１６から最大流量で吐水が行われている間は、排水トラップ管路１４から排出される洗浄水の流量と、ジェット吐水口１６から流入する洗浄水の流量がほぼ同等であるため、排水トラップ管路１４内のサイホン現象は持続され、途切れることはない。さらに、ジェット吐水口１６からの吐水流量を最大流量から漸減させることにより、サイホン現象が急激に途切れることによる大きなサイホン切れ音の発生が防止される。加えて、リム吐水口１８からの吐水を重畳させることにより、吐水流量の低下はさらに緩やかになり、サイホン現象が途切れる際の音はさらに低減される。
【００５９】
次いで、漸減しているモーター３４ｂの回転数は、図９の時刻ｔ６においてゼロとなり、加圧ポンプ３４は停止する。時刻ｔ１〜ｔ６の間加圧ポンプ３４を作動させることにより、所定のジェット吐水量の洗浄水がジェット吐水口１６から吐出され、貯水タンク３２内の貯水量は概ねゼロになる。加圧ポンプ３４が停止されることによりジェット吐水口１６からの吐水は停止される。これにより、ジェット吐水用バキュームブレーカ３６のバキュームブレーカコマ４６（図８）は入水口４４ａを閉鎖させ、ボウル部１２内の溜水と貯水タンク３２内の洗浄水が縁切りされる。本実施形態においては、コントローラ４０は、ジェット吐水口１６から最大流量で約２秒間吐水させた後、吐水流量を漸減させ、約１秒間で吐水流量がゼロとなるように加圧ポンプ３４を制御している。好ましくは、約１．５乃至２秒間最大流量で吐水させた後、約１乃至５秒間で吐水流量がゼロとなるように制御する。
【００６０】
リム吐水口１８からの２回目の吐水によりボウル部１２内の溜水の水位は上昇し、所定のリム吐水時間経過後、ボウル部１２内は所定の溢流水位に到達する。図９の時刻ｔ７において、コントローラ４０は、リム吐水用電磁弁２２に信号を送ってこれを閉鎖させ、リム吐水口１８からの２回目の吐水を停止させる。なお、図１０に示すフローチャートでは、簡単のため１回目のリム吐水の後、ジェット吐水が開始され、ジェット吐水の後２回目のリム吐水が実行されるように記載されているが、本実施形態においては、より詳細には図９に示すように、各吐水が重畳される期間が存在する。
【００６１】
次いで、図１０のステップＳ４に進み、貯水タンク３２への洗浄水の補給が開始されると共に、コントローラ４０に内蔵された計時手段４０ａは、貯水タンク３２が規定の貯水量に復帰するまでの水補給時間の計測を開始する。即ち、リム吐水口１８からの吐水が停止した後、所定の給水待ち時間が経過した時刻ｔ８において、コントローラ４０は、タンク給水用電磁弁２８に信号を送り、これを開放させる。タンク給水用電磁弁２８が開放されると、入水口２０ａから流入した洗浄水は、水洗大便器本体２後方左側に配置されたタンク給水用電磁弁２８、タンク給水路３２ａを通過して、水洗大便器本体２後方中央の排水トラップ管路１４の上方に配置されたタンク給水用バキュームブレーカ３０に流入する。タンク給水用バキュームブレーカ３０を通過した洗浄水は、排水トラップ管路１４の右側に流れ、貯水タンク３２の底部近傍まで延びるタンク給水路３２ａの先端から貯水タンク３２内に流入する。洗浄水が流出するタンク給水路３２ａの先端は、貯水タンク３２内でほぼ水没した状態にあるため、洗浄水が貯水タンク３２内に流入する際の騒音が低減される。
【００６２】
次いで、図１０のステップＳ６においては、ＯＦＦ状態のフロートスイッチ３２ｂがＯＮになったか否かが判断され、ＯＦＦ状態である場合にはステップＳ６の処理が繰り返される。貯水タンク３２内に洗浄水が流入し、貯水タンク３２内の水位が規定の貯水量に達すると、フロートスイッチ３２ｂがＯＮになる（図９の時刻ｔ９）。フロートスイッチ３２ｂがＯＮになると、ステップＳ７に進み、タンク給水用電磁弁２８が閉鎖される。即ち、コントローラ４０はタンク給水用電磁弁２８に信号を送り、これを閉鎖させる。次いで、ステップＳ８に進み、計時手段４０ａは水補給時間の計測を終了する。
【００６３】
次に、ステップＳ９においては、コントローラ４０に内蔵された吐水時間調整手段４０ｂにより、便器洗浄が次に行われた際の２回目のリム吐水時間（図９におけるｔ５〜ｔ７）が決定される。まず、吐水時間調整手段４０ｂは、計時手段４０ａによって計測された水補給時間の過去５０回の移動平均値を計算する。即ち、タンク給水用電磁弁２８を開放した時刻Ｔｓ（図９におけるｔ８）から閉鎖した時刻Ｔｅ（図９におけるｔ９）までの経過時間である水補給時間Ｔｅ−Ｔｓの直近の過去５０回分の平均値Ｔａｖを計算する。吐水時間調整手段４０ｂは、この平均値Ｔａｖが５秒未満である場合には、水洗大便器１が通常圧である０．０７ＭＰａ以上の給水圧の地域に設置されていると判断する。また、吐水時間調整手段４０ｂは、平均値Ｔａｖが５秒以上７秒未満である場合には、水洗大便器１が給水圧の低い地域に設置されていると判断する。さらに、吐水時間調整手段４０ｂは、平均値Ｔａｖが７秒以上である場合には、水洗大便器１が給水圧０．０３ＭＰａ以下の超低圧地域に設置されていると判断する。
【００６４】
さらに、吐水時間調整手段４０ｂは、水洗大便器１が通常圧の地域に設置されていると判断した場合には、次回の便器洗浄時における２回目のリム吐水時間を３秒に設定する。また、吐水時間調整手段４０ｂは、低圧地域と判断した場合には４秒に、超低圧地域と判断した場合には５．５秒に、２回目のリム吐水時間を設定する。これにより、水道の給水圧力が高い地域において、長時間リム吐水を行って洗浄水を無駄にしたり、水道の給水圧力が低い地域において十分な時間リム吐水を行わずに洗浄水が不足したりするのを防止することができる。
【００６５】
また、上記のように、吐水時間調整手段４０ｂは、直近の過去５０回分の水補給時間の平均値Ｔａｖに基づいて次回の洗浄における２回目のリム吐水時間を設定していたが、過去の便器洗浄が５０回に満たない場合には、過去全ての水補給時間を平均して平均値Ｔａｖを計算する。さらに、水洗大便器１設置後、初めて便器洗浄を行う場合には、洗浄水が不足することのないよう、２回目のリム吐水時間は５．５秒に設定される。
ステップＳ９において、次回便器洗浄が行われた際の２回目のリム吐水時間が決定されると、ステップＳ０の待機状態に戻る。
【００６６】
次に、フロートスイッチ３２ｂ、タンク給水用電磁弁２８等の不具合により、貯水タンク３２への給水が停止されない場合の作用を説明する。
貯水タンク３２内が規定の水位に達してもタンク給水用電磁弁２８が閉鎖されない場合には、貯水タンク３２内の水位は規定の水位よりも高く上昇し、やがて貯水タンク３２の溢れ縁であるリリース水路３２ｄの底面の高さに到達する。貯水タンク３２の水位がリリース水路３２ｄの底面よりも高くなると、貯水タンク３２内の洗浄水はリリース水路３２ｄを通って流出し、ジェット吐水用バキュームブレーカ３６の大気開放部４８ａに流下する。
【００６７】
貯水タンク３２への給水中においては、加圧ポンプ３４は作動されていないため、加圧ポンプ３４からジェット吐水口１６への洗浄水の流れはない。このため、ジェット吐水用バキュームブレーカ３６のバキュームブレーカコマ４６は、大気開放部４８ａと出水口４４ｂが連通する下方位置にある。従って、リリース水路３２ｄから大気開放部４８ａに流下した洗浄水は、出水口４４ｂに流入し、ジェット側給水路１６ａ、ジェット吐水口１６を通ってボウル部１２に流れ込む。これにより、貯水タンク３２から溢れた洗浄水は、ボウル部１２、排水トラップ管路１４を介して排出される。
【００６８】
次に、図１１を参照して、コントローラ４０に内蔵された凍結防止制御手段４０ｃの作用を説明する。図１１は水洗大便器１の凍結防止運転の処理を示すフローチャートである。
【００６９】
まず、水洗大便器１において、便器洗浄が実行されていない待機状態であるステップＳ１００に続いて、ステップＳ１０１の処理が実行される。ステップＳ１０１においては、コントローラ４０の温度センサ４０ｃによって測定されたトイレ室内の温度が、所定の凍結防止運転温度以下であるか否かが判断される。トイレ室内の温度が凍結防止運転温度よりも高い場合には、ステップＳ１０２以降の凍結防止運転は実行されず、ステップＳ１００に戻ってステップＳ１０１の処理が繰り返し実行される。本実施形態においては、凍結防止運転温度は５゜Ｃに設定されている。また、使用者が、水洗大便器１に設けられた操作スイッチ（図示せず）により凍結防止運転を行うように設定した場合にも凍結防止運転が実行される。本実施形態においては、凍結防止運転は、操作スイッチ（図示せず）の特殊操作により設定されるように構成されている。即ち、本来他の機能を実行するための複数の操作スイッチ（図示せず）を同時に操作したり、所定時間押し続けたりすることによって、凍結防止運転が設定される。
【００７０】
次に、トイレ室内の温度が凍結防止運転温度以下である場合には、ステップＳ１０２の処理が実行される。ステップＳ１０２においては、凍結防止制御手段４０ｃは、リム吐水用電磁弁２２を開放させる。リム吐水用電磁弁２２を開放させることにより、水道から供給された洗浄水は水道の給水圧力により、止水栓４２ａ、分岐金具４２ｂ、ストレーナ４２ｃ、定流量弁２０、リム吐水用電磁弁２２、リム吐水用バキュームブレーカ２４、リム吐水用フラッパー弁２６、及びリム側給水路１８ａを通り約１５リットル／分の流量でリム吐水口１８からボウル部１２内に吐水される。これにより、これらの給水系統に滞留していた洗浄水が移動され、その凍結が防止される。約１秒経過後、ステップＳ１０３が実行され、凍結防止制御手段４０ｃはリム吐水用電磁弁２２を閉鎖させる。
【００７１】
次いで、ステップＳ１０４においては、凍結防止制御手段４０ｃは加圧ポンプ３４を低速で回転させる。加圧ポンプ３４が回転されると、貯水タンク３２内の洗浄水は、加圧ポンプ３４、ジェット吐水用バキュームブレーカ３６、ジェット吐水用フラッパー弁３８、及びジェット側給水路１６ａを通ってジェット吐水口１６から吐水される。これにより、これらの給水系統に滞留していた洗浄水が移動され、その凍結が防止される。所定の凍結防止ポンプ作動時間である約２０秒経過後、ステップＳ１０５が実行され、凍結防止制御手段４０ｃは加圧ポンプ３４を停止させる。なお、本実施形態においては、加圧ポンプ３４は、ジェット吐水口１６から約０．７リットル／分の流量で洗浄水が吐水される回転数で作動される。このような低流量でジェット吐水口１６からの吐水を行うことにより、排水トラップ管路１４内でサイホン現象を発生させることなく、上記給水系統に滞留している洗浄水を移動させることができる。これにより、サイホン現象発生による騒音が防止されると共に、洗浄水の浪費は最小限に抑えられる。
【００７２】
次に、ステップＳ１０６においては、フロートスイッチ３２ｂの状態が判断される。貯水タンク３２内の洗浄水の貯水量は、加圧ポンプ３４を約２０秒間作動させたことにより低下されている。貯水タンク３２内に設けられたフロートスイッチ３２ｂは、貯水量が所定の補給貯水量以下になるとＯＦＦになる。フロートスイッチ３２ｂがＯＦＦにされている場合にはステップＳ１０７に進み、ステップＳ１０７においては、凍結防止制御手段４０ｄはタンク給水用電磁弁２８を開放させ、貯水タンク３２内の洗浄水を補給する。即ち、フロートスイッチ３２ｂ及びタンク給水用電磁弁２８は、貯水量維持手段として機能する。タンク給水用電磁弁２８を開放させることにより、水道から供給された洗浄水は、止水栓４２ａ、分岐金具４２ｂ、ストレーナ４２ｃ、定流量弁２０、タンク給水用電磁弁２８、及びタンク給水用バキュームブレーカ３０を通り貯水タンク３２内に給水される。これにより、これらの給水系統に滞留していた洗浄水が移動され、その凍結が防止される。
【００７３】
貯水タンク３２内への給水により貯水タンク３２の貯水量が規定の貯水量まで増加して所定の水位に上昇すると、ステップＳ１０６において、フロートスイッチ３２ｂがＯＮになったことが検出される。フロートスイッチ３２ｂがＯＮになったと判断されると、ステップＳ１０８に進み、ステップＳ１０８において、凍結防止制御手段４０ｄはタンク給水用電磁弁２８を閉鎖させる。次に、ステップＳ１０９において、コントローラ４０に内蔵されたタイマー４０ｅは、凍結防止運転が次に実行されるまでの間の時間の計測を開始する。ステップＳ１１０においては、タイマー４０ｅによる計測開始後、凍結防止運転の所定の時間間隔が経過したか否かが判断される。本実施形態においては、凍結防止運転の時間間隔として、１０分間が設定されている。
【００７４】
ステップＳ１１０における処理は、凍結防止運転の時間間隔である１０分間が経過していない場合には繰り返し実行され、１０分間経過するとステップＳ１００の待機状態に戻る。ステップＳ１００の待機状態に戻ると、再びステップＳ１０１に進み、温度センサ４０ｃによって測定された温度が凍結防止運転温度よりも高い温度に上昇しているか否かが判断される。トイレ室内の温度が依然として凍結防止運転温度以下である場合には、ステップＳ１０２に進み上記の処理が繰り返される。一方、トイレ室内の温度が凍結防止運転温度よりも高い温度に上昇している場合にはステップＳ１００に戻り、ステップＳ１０１における判断が繰り返し実行される。
【００７５】
また、水洗大便器１が凍結防止運転を行うように手動で設定されている場合にもステップＳ１０２以降の凍結防止運転が実行される。この凍結防止運転は、使用者が操作スイッチ（図示せず）により、凍結防止運転の設定を解除するまで繰り返される。上記のように、トイレ室内の温度が凍結防止運転温度よりも低い状態が継続した場合、及び使用者により凍結防止運転が設定されている場合には、ジェット吐水口１６及びリム吐水口１８からの吐水が、約１０分間隔で間欠的に実行される。これにより、水洗大便器１の各部に滞留している洗浄水が移動され、その凍結が防止される。
【００７６】
本発明の第１実施形態の水洗大便器によれば、貯水タンクからオーバーフローした洗浄水を、ジェット吐水用バキュームブレーカの大気開放部に流下させ、排出しているので、ボウル部内の洗浄水の貯水タンクへの逆流を防止することができる。
【００７７】
また、本実施形態の水洗大便器によれば、オーバーフロー水をジェット吐水用バキュームブレーカの大気開放部に流下させているので、リリース水路をボウル部の上端面よりも低い位置に配置した場合にも、ボウル部内の洗浄水の貯水タンクへの逆流を防止することができる。
【００７８】
次に、図１２及び図１３を参照して、本発明の第２実施形態による水洗大便器を説明する。図１２は本実施形態による水洗大便器を前方左斜め上から見た斜視図であり、図１３は後方右斜め上から見た斜視図である。本実施形態の水洗大便器は、貯水タンク内の洗浄水を、オーバーフローさせる排水経路が第１実施形態と異なる。従って、ここでは本実施形態による水洗大便器の第１実施形態とは異なる点のみを説明し、同様の構成については同一の符号を附して説明を省略する。
【００７９】
図１２及び図１３に示すように、本発明の第２実施形態による水洗大便器１００は、水洗大便器本体１０２と、水洗大便器本体１０２の上面に配置された便座と、カバーと、局部洗浄装置と、を有する。また、水洗大便器本体１０２の後方には、機能部１１０が配置されており、この機能部１１０はサイドパネルにより覆われている。なお、図１２及び図１３は、水洗大便器１００を、便座、カバー、局部洗浄装置、及びサイドパネルを取り外した状態で示している。
【００８０】
水洗大便器本体１０２には、ボウル部１２と、排水トラップ管路１４と、ジェット吐水口１６と、リム吐水口１８が形成されている。また、本実施形態による水洗大便器１００は、洗浄水を供給する水道に直結されており、水道の給水圧力によりリム吐水口１８から洗浄水を吐出し、加圧ポンプによって加圧された洗浄水をジェット吐水口１６から吐出させるように構成されている。
【００８１】
さらに、水洗大便器本体１０２のボウル部１２後方には、排水溝１０２ｃが形成されている。この排水溝１０２ｃは、ボウル部１２の後部上端面の中央に、水洗大便器１００の前後方向に延びるように形成された概ね長方形断面の凹部であり、そこに流入した洗浄水をボウル部１２内に流下させるように構成されている。また、排水溝１０２ｃには、水洗大便器１００の使用時において、局部洗浄装置（図１２、１３には図示せず）の洗浄用のノズル（図示せず）が収納されるように構成されている。
【００８２】
図１２及び図１３に示すように、機能部１１０には、定流量弁２０と、リム吐水用電磁弁２２と、リム吐水用バキュームブレーカ２４と、リム吐水用フラッパー弁２６と、タンク給水用電磁弁２８と、タンク給水用バキュームブレーカ３０と、貯水タンク１３２と、加圧ポンプ３４と、ジェット吐水用バキュームブレーカ３６と、ジェット吐水用フラッパー弁３８が内蔵されている。さらに、機能部１１０には、リム吐水用電磁弁２２、タンク給水用電磁弁２８、及び加圧ポンプ３４を制御する洗浄制御手段であるコントローラ（図示せず）が内蔵されている。
【００８３】
貯水タンク１３２は、排水溝１０２ｃ及び排水トラップ管路１４の側方に配置されており、その上部に、貯水タンク１３２内の洗浄水をオーバーフローさせるためのリリース水路１３２ｄが形成されている。このリリース水路１３２ｄは、貯水タンク１３２から水洗大便器１００の斜め前方に向かって延びる幅広の水路であり、その先端は、排水溝１０２ｃの側面に連通している。また、貯水タンク１３２の溢れ縁であるリリース水路１３２ｄの底面は、ボウル部１２の上端面よりも高い位置に位置決めされており、リリース水路１３２ｄから流出したオーバーフロー水は、ボウル部１２の上端面よりも低い排水溝１０２ｃに落ちて、ボウル部１２内に流入する。
【００８４】
次に、本発明の第２実施形態による水洗大便器１００の作用を説明する。本実施形態による水洗大便器１００の便器洗浄作用、吐水時間を調整する作用、及び凍結防止運転は、第１実施形態と同様であるので、説明を省略する。
【００８５】
ここで、フロートスイッチ（図１２、３には図示せず）、タンク給水用電磁弁２８等の不具合により、貯水タンク１３２への給水が停止されない場合の作用を説明する。
【００８６】
貯水タンク１３２内が規定の水位に達してもタンク給水用電磁弁２８が閉鎖されない場合には、貯水タンク１３２内の水位は規定の水位よりも高く上昇し、やがて貯水タンク１３２の溢れ縁であるリリース水路１３２ｄの底面の高さに到達する。貯水タンク１３２の水位がリリース水路１３２ｄの底面よりも高くなると、貯水タンク１３２内の洗浄水はリリース水路１３２ｄを通って流出し、水洗大便器本体１０２の排水溝１０２ｃに流下する。排水溝１０２ｃに流下したオーバーフロー水は、排水溝１０２ｃを前方に流れ、ボウル部１２内に流れ込む。これにより、貯水タンク１３２から溢れた洗浄水は、ボウル部１２、排水トラップ管路１４を介して排出される。
【００８７】
本発明の第２実施形態の水洗大便器によれば、貯水タンクからオーバーフローした洗浄水を、ボウル部の上端面に形成された排水溝に流下させ、排出しているので、ボウル部内の洗浄水の貯水タンクへの逆流を防止することができる。
【００８８】
また、本実施形態の水洗大便器によれば、排水溝がボウル部の後部中央に水洗大便器本体の前後方向に延びるように形成されているので、水洗大便器の外観を損なうことなく排水溝を設けることができる。さらに、汚物が侵入する可能性の少ない位置に排水溝が形成されているので、不衛生になることがない。
【００８９】
さらに、本実施形態の水洗大便器によれば、貯水タンクが排水溝及び排水トラップ管路の側方に配置されているので、リリース水路は、貯水タンクと排水溝を最短距離で連結することができる。
【００９０】
また、本実施形態の水洗大便器によれば、リリース水路が排水溝の側面に連通し、幅広に形成されているので、リリース水路の高さを低く抑えながら十分な流路面積を確保することができる。
【００９１】
次に、図１４乃至図１７を参照して、本発明の第３実施形態による水洗大便器を説明する。本実施形態による水洗大便器は、貯水タンク、加圧ポンプ、バキュームブレーカ等の配置が第１実施形態とは異なる。従って、ここでは、本実施形態による水洗大便器の第１実施形態とは異なる部分のみを説明する。図１４は、本実施形態による水洗大便器を後方左斜め上から見た斜視図である。図１５は本実施形態による水洗大便器の上面図であり、図１６は図１５のXVI−XVI線に沿う断面図であり、図１７は図１５のXVII−XVII線に沿う断面図である。なお、図１４乃至１７は、本実施形態による水洗大便器を、便座、カバー、局部洗浄装置、及びサイドパネルを取り外した状態で示している。
【００９２】
図１４乃至図１７に示すように、本発明の第３実施形態による水洗大便器２００は、水洗大便器本体２０２と、便座（図示せず）と、カバー（図示せず）と、局部洗浄装置（図示せず）とを有する。水洗大便器本体２０２の後方には、機能部２１０が配置されており、この機能部２１０はサイドパネル（図示せず）により覆われている。
【００９３】
水洗大便器本体２０２は陶器製であり、ボウル部２１２と、排水トラップ管路２１４と、ジェット吐水口２１６と、吐水口２１８が形成されている。排水トラップ管路２１４は、ボウル部２１２の底部から後方、斜め上方に延びた後、下方に向かって延び、排水ソケット２１５に接続されている。この排水ソケット２１５は、壁面に設けられた排水管（図示せず）に接続される。
【００９４】
次に、機能部２１０の構成を説明する。図１４乃至図１７に示すように、機能部２１０には、リム吐水用の給水系統として、定流量弁（図示せず）と、リム吐水用電磁弁２２２と、リム吐水用バキュームブレーカ２２４と、リム吐水用フラッパー弁２２６が内蔵されている。さらに、機能部２１０には、ジェット吐水用の給水系統として、タンク給水用電磁弁２２８と、貯水タンク２３２と、加圧ポンプ２３４と、ジェット吐水用バキュームブレーカ２３６と、ジェット吐水用フラッパー弁２３８が内蔵されている。さらに、機能部２１０には、リム吐水用電磁弁２２２、タンク給水用電磁弁２２８、及び加圧ポンプ２３４を制御する洗浄制御手段であるコントローラ（図示せず）が内蔵されている。
【００９５】
本実施形態においては、リム吐水用電磁弁２２２は、水洗大便器本体２０２の後方ほぼ中央に配置されている。リム吐水用バキュームブレーカ２２４は、リム吐水用電磁弁２２２を通過した洗浄水をリム吐水口２１８へ導くリム側給水路２１８ａの途中に配置されている。また、リム吐水用バキュームブレーカ２２４は、ボウル部２１２の上端面よりも約２５．４ｍｍ（約１インチ）上方に配置されており、逆流を確実に防止している。なお、本実施形態においては、リム吐水用バキュームブレーカ２２４は、水洗大便器本体２０２の後方ほぼ中央の、排水トラップ管路１４の上方に配置されている。
【００９６】
リム吐水用フラッパー弁２２６は、リム吐水用バキュームブレーカ２２４の下流側のリム側給水路２１８ａに配置され、洗浄水のリム吐水口２１８からの逆流を防止している。なお、本実施形態においては、リム吐水用フラッパー弁２２６は、水洗大便器本体２０２の後方左側に配置されている。
【００９７】
タンク給水用電磁弁２２８は、コントローラの制御信号により開閉され、洗浄水を貯水タンク２３２へ給水、停止させるように構成されている。本実施形態においては、タンク給水用電磁弁２２８は、水洗大便器本体２０２の後方ほぼ中央に配置されている。
【００９８】
貯水タンク２３２は、ジェット吐水口２１６から吐水すべき洗浄水を貯水するように構成されている。なお、本実施形態において、貯水タンク２３２は、図１７に示すように、水洗大便器本体２０２の後方右側から、水洗大便器本体２０２後方中央の排水トラップ管路２１４の上方を越えて、水洗大便器本体２０２の後方左側まで、逆Ｌ字形に延びるように配置されている。また、水洗大便器本体２０２の後方には、取付部である取付フレーム２０２ａが固定されている。
【００９９】
さらに、本実施形態においては、タンク給水路２３２ａの先端は貯水タンク２３２の上方に開口されており、タンク給水路２３２ａと貯水タンク２３２内の洗浄水との間にエアギャップが設けられている。このため、貯水タンク２３２内の洗浄水がタンク給水路２３２ａに逆流することはないので、タンク給水用のバキュームブレーカは省略されている。
【０１００】
また、貯水タンク２３２の上部には、リリース水路であるオーバーフロー管２３２ｄが取り付けられている。このオーバーフロー管２３２ｄは、貯水タンク２３２上部のボウル部２１２の上端面よりも高い位置とリム側給水路２１８ａを連通させるように設けられている。このため、貯水タンク２３２内の水位が、オーバーフロー管２３２ｄが接続されている高さまで上昇した場合には、貯水タンク２３２内の洗浄水は、オーバーフロー管２３２ｄ、リム側給水路２１８ａを通って、リム吐水口２１８からボウル部２１２内に排出される。また、オーバーフロー管２３２ｄは、貯水タンク２３２の、ボウル部２１２の上端面よりも高い位置に接続されているので、ボウル部２１２内の洗浄水がオーバーフロー管２３２ｄを通って貯水タンク２３２に逆流することはない。
【０１０１】
加圧ポンプ２３４は、貯水タンク２３２に貯水された洗浄水を加圧して、ジェット吐水口２１６から吐出させるように構成されている。本実施形態においては、加圧ポンプ２３４は、貯水タンク２３２の逆Ｌ字形の水平部分の下に、即ち、水洗大便器本体２０２の後方ほぼ中央に配置されている。
【０１０２】
また、図１７に示すように、加圧ポンプ２３４には、貯水タンク２３２内を下方に延びる吸い込みノズル２３４ａが取り付けられている。この吸い込みノズル２３４ａは貯水タンク２３２の底部付近まで延びており、貯水タンク２３２内の洗浄水は、吸い込みノズル２３４ａを介して加圧ポンプ２３４によって吸い上げられ、加圧される。さらに、加圧ポンプ２３４によって加圧された洗浄水は、ジェット吐水用バキュームブレーカ２３６に流入し、ジェット側給水路２１６ａを通ってジェット吐水口２１６から吐出されるように構成されている。
【０１０３】
ジェット吐水用バキュームブレーカ２３６は、加圧ポンプ２３４の下流側に接続されており、ボウル部２１２内の溜水が貯水タンク２３２側へ逆流するのを防止すると共に、それらの間の縁切りを行うように構成されている。これにより、貯水タンク２３２内の貯水水位を、ボウル部２１２内の溜水水位よりも高く設定することが可能になる。なお、本実施形態においては、ジェット吐水用バキュームブレーカ２３６は、水洗大便器本体２０２の後方ほぼ中央に配置されている。
【０１０４】
ジェット吐水用フラッパー弁２３８は、ジェット吐水用バキュームブレーカ２３６の下流側に接続され、洗浄水のジェット吐水口２１６からの逆流を防止している。ジェット吐水用フラッパー弁２３８を通過した洗浄水は、ジェット側給水路２１６ａを通ってジェット吐水口２１６から吐出されるように構成されている。なお、本実施形態においては、ジェット吐水用フラッパー弁２３８は、水洗大便器本体２０２の後方の、排水トラップ管路２１４上方に配置されている。即ち、貯水タンク２３２に貯水され、加圧ポンプ２３４によって加圧された洗浄水は、ジェット吐水用バキュームブレーカ２３６、ジェット吐水用フラッパー弁２３８及びジェット側給水路２１６ａを通ってジェット吐水口２１６から吐出されるように構成されている。
【０１０５】
また、本実施形態においては、リム吐水用フラッパー弁２２６から延び、リム吐水口２１８に至るリム側給水路２１８ａも、排水トラップ管路２１４に対してジェット側給水路２１６ａと同じ側に配置されている。
【０１０６】
次に、本発明の第３実施形態による水洗大便器２００の作用を説明する。
まず、待機状態において、便器洗浄スイッチ（図示せず）が操作されると、１回目のリム吐水が開始される。即ち、コントローラ（図示せず）はリム吐水用電磁弁２２２に信号を送って開放させ、水道の給水圧力によりリム吐水口２１８から洗浄水を吐出させる。入水口２２０ａから流入した洗浄水は、水洗大便器本体２０２後方中央に配置されたリム吐水用電磁弁２２２を通過し、水洗大便器本体２後方中央の排水トラップ管路２１４の上方に配置されたリム吐水用バキュームブレーカ２２４に到達する。
【０１０７】
さらに、リム吐水用バキュームブレーカ２２４を通過した洗浄水は、水洗大便器本体２０２後方左側に配置されたリム吐水用フラッパー弁２２６に流入した後、水洗大便器本体２０２の前方に向かって流れ、リム側給水路２１８ａを通って、ボウル部２１２上部の後方左側に開口したリム吐水口２１８から吐出される。リム吐水口２１８から吐出された洗浄水は、ボウル部２１２内を旋回しながら下方へ流下し、ボウル部２１２の内壁面が洗浄される。
【０１０８】
所定時間経過後、コントローラは、ジェット吐水を開始させる。即ち、コントローラは、リム吐水用電磁弁２２２に信号を送ってこれを閉鎖させ、また、加圧ポンプ２３４に信号を送りこれを起動させ、貯水タンク２３２内に貯水されていた洗浄水を加圧する。水洗大便器本体２０２後方中央に配置された加圧ポンプ２３４によって加圧された洗浄水は、排水トラップ管路２１４の上方に配置されたジェット吐水用バキュームブレーカ２３６に到達する。ジェット吐水用バキュームブレーカ２３６を通過した洗浄水は、ジェット吐水用フラッパー弁２３８に流入する。ジェット吐水用フラッパー弁２３８を通過した洗浄水は、水洗大便器本体２０２の前方に向かって流れ、ジェット側給水路２１６ａを通って、ボウル部２１２底部に開口したジェット吐水口２１６から吐出される。
【０１０９】
ジェット吐水口２１６から吐出された洗浄水は排水トラップ管路２１４内に流入し、排水トラップ管路２１４を満水にしてサイホン現象を引き起こす。このサイホン現象により、ボウル部２１２内の溜水及び汚物は、排水トラップ管路２１４に吸引され、排水ソケット２１５を通って壁面に設けられた排水管Ｄから排出される。
【０１１０】
次いで、２回目のリム吐水が開始される。即ち、コントローラは、リム吐水用電磁弁２２２に信号を送ってこれを開放させ、リム吐水口２１８からの２回目の吐水を開始させる。リム吐水口２１８からの２回目の吐水によりボウル部２１２内の溜水の水位は上昇し、所定のリム吐水時間経過後、ボウル部２１２内は所定の溢流水位に到達する。さらに、コントローラは、リム吐水用電磁弁２２２に信号を送ってこれを閉鎖させ、リム吐水口２１８からの２回目の吐水を停止させる。
【０１１１】
次いで、貯水タンク２３２への洗浄水の補給が開始される。即ち、リム吐水口２１８からの吐水が停止した後、所定の給水待ち時間が経過した後、コントローラは、タンク給水用電磁弁２２８に信号を送り、これを開放させる。タンク給水用電磁弁２２８が開放されると、入水口２２０ａから流入した洗浄水は、タンク給水用電磁弁２２８、タンク給水路２３２ａを通過して貯水タンク２３２内に流入する。貯水タンク２３２内に洗浄水が流入し、貯水タンク２３２内の水位が規定の貯水量に達すると、タンク給水用電磁弁２２８が閉鎖され、１回の便器洗浄が終了する。
【０１１２】
また、貯水タンク２３２への給水系統の故障等により、貯水タンク２３２内の水位がボウル部２１２の上端面よりも高い所定の水位以上に上昇した場合には、貯水タンク２３２内の洗浄水は、オーバーフロー管２３２ｄ、リム側給水路２１８ａを通って、リム吐水口２１８からボウル部２１２内に排出される。これにより、洗浄水の貯水タンク２３２からの溢れが防止される。
【０１１３】
次に、図１８及び図１９を参照して、本発明の第３実施形態の変形例による水洗大便器を説明する。本変形例による水洗大便器は、水洗大便器本体の排水トラップ管路に接続されている排水ソケットが上述した第３実施形態とは異なる。図１８は本変形例による水洗大便器の側面断面図であり、図１９は、図１８のXIX−XIX線に沿う断面図である。
【０１１４】
図１８及び図１９に示すように、本変形例による水洗大便器は、鉛直下方に延びる排水トラップ管路２１４の下端に排水ソケット２５０が接続されている。この排水ソケット２５０は、排水トラップ管路２１４に接続された入口端から鉛直下方に延びた後、水洗大便器本体２０２の前方に向けて直角に折れ曲がり、出口端が床面に設けられた排水管Ｄに接続されている。本変形例に使用されている水洗大便器本体は、本発明の第３実施形態に使用されている水洗大便器本体と同一であるが、排水ソケットを交換することにより、壁面に設けた排水管に接続する所謂Ｐ形配管にも、床面に設けた排水管に接続する所謂Ｓ形配管にも対応することが可能になる。
【図面の簡単な説明】
【０１１５】
【図１】本発明の第１実施形態による水洗大便器の右側面図である。
【図２】本発明の第１実施形態による水洗大便器の上面図である。
【図３】本発明の第１実施形態による水洗大便器の左側面図である。
【図４】本発明の第１実施形態による水洗大便器を後方右斜め上から見た斜視図である。
【図５】本発明の第１実施形態による水洗大便器を後方左斜め上から見た斜視図である。
【図６】図２のVI−VI線に沿う断面図である。
【図７】リム吐水及びジェット吐水の給水系統を示すブロック図である。
【図８】ジェット吐水用バキュームブレーカの断面図である。
【図９】水洗大便器の洗浄時において各部が作動するタイミングを示すグラフである。
【図１０】水洗大便器の洗浄作用を示すフローチャートである。
【図１１】水洗大便器の凍結防止運転の処理を示すフローチャートである。
【図１２】本発明の第２実施形態による水洗大便器を前方左斜め上から見た斜視図である。
【図１３】本発明の第２実施形態による水洗大便器を後方右斜め上から見た斜視図である。
【図１４】本発明の第３実施形態による水洗大便器を後方左斜め上から見た斜視図である。
【図１５】本発明の第３実施形態による水洗大便器の上面図である。
【図１６】図１５のXVI−XVI線に沿う断面図である。
【図１７】図１５のXVII−XVII線に沿う断面図である。
【図１８】本発明の第３実施形態の変形例による水洗大便器の側面断面図である。
【図１９】図１８のXIX−XIX線に沿う断面図である。
【符号の説明】
【０１１６】
Ｄ        排水管
１        本発明の第１実施形態による水洗大便器
２        水洗大便器本体
２ａ      取付フレーム
２ｂ      水受けトレイ
４        便座
６        カバー
８        局部洗浄装置
１０      機能部
１０ａ    サイドパネル
１２      ボウル部
１４      排水トラップ管路
１６      ジェット吐水口
１６ａ    ジェット側給水路
１８      リム吐水口
１８ａ    リム側給水路
２０      定流量弁
２０ａ    入水口
２２      リム吐水用電磁弁
２４      リム吐水用バキュームブレーカ
２６      リム吐水用フラッパー弁
２８      タンク給水用電磁弁
３０      タンク給水用バキュームブレーカ
３２      貯水タンク
３２ａ    タンク給水路
３２ｂ    フロートスイッチ
３２ｃ    金属板
３２ｄ    リリース水路
３４      加圧ポンプ
３４ａ    インペラ
３４ｂ    モーター
３４ｃ    水抜き用水栓
３４ｄ    Ｕ字管
３４ｅ    横断管
３６      ジェット吐水用バキュームブレーカ
３８      ジェット吐水用フラッパー弁
４０      コントローラ
４０ａ    計時手段
４０ｂ    吐水時間調整手段
４０ｃ    温度センサ
４０ｄ    凍結防止制御手段
４０ｅ    タイマー
４２ａ    止水栓
４２ｂ    分岐金具
４２ｃ    ストレーナ
４４      バルブ本体
４４ａ    入水口
４４ｂ    出水口
４６      バキュームブレーカコマ
４６ａ    弁体部
４６ｂ    軸部
４６ｃ    下面シール材
４６ｄ    上面シール材
４８      バキュームブレーカ本体
４８ａ    大気開放部
４８ｂ    ガイド部
５０ａ、５０ｂ、５０ｃ  接続部
１００    本発明の第２実施形態による水洗大便器
１０２    水洗大便器本体
１０２ｃ  排水溝
１１０    機能部
１３２    貯水タンク
１３２ｄ  リリース水路
２００    本発明の第３実施形態による水洗大便器
２０２    水洗大便器本体
２１０    機能部
２１２    ボウル部
２１４    排水トラップ管路
２１５    排水ソケット
２１６    ジェット吐水口
２１６ａ  ジェット側給水路
２１８    リム吐水口
２１８ａ  リム側給水路
２２２    リム吐水用電磁弁
２２４    リム吐水用バキュームブレーカ
２２６    リム吐水用フラッパー弁
２２８    タンク給水用電磁弁
２３２    貯水タンク
２３２ａ  タンク給水路
２３２ｄ  オーバーフロー管
２３４    加圧ポンプ
２３４ａ  吸い込みノズル
２３６    ジェット吐水用バキュームブレーカ
２３８    ジェット吐水用フラッパー弁
２５０    排水ソケット
【図１】
2008082031.tif 000003
【図２】
2008082031.tif 000004
【図３】
2008082031.tif 000005
【図４】
2008082031.tif 000006
【図５】
2008082031.tif 000007
【図６】
2008082031.tif 000008
【図７】
2008082031.tif 000009
【図８】
2008082031.tif 000010
【図９】
2008082031.tif 000011
【図１０】
2008082031.tif 000012
【図１１】
2008082031.tif 000013
【図１２】
2008082031.tif 000014
【図１３】
2008082031.tif 000015
【図１４】
2008082031.tif 000016
【図１５】
2008082031.tif 000017
【図１６】
2008082031.tif 000018
【図１７】
2008082031.tif 000019
【図１８】
2008082031.tif 000020
【図１９】
2008082031.tif 000021